(57)【要約】【課題】変電所等における機器の故障時に、応急処置としての設置が容易で小型化可能なタンク形遮断器を得る。【解決手段】内部に遮断部１と絶縁ガスが収容されたタンク２と、前記タンクから枝状に突出された第１及び第２の枝管２１、２２と、前記２つの枝管のうち一方の枝管の先端部に設けられた、外部ケーブル７のケーブル終端を接続するためのケーブル終端接続箱８と、該一方の枝管の内部に挿通されて一端部が前記遮断部の電極のうちの一方（１ｂ）に接続され、他端部が前記ケーブル終端接続箱７に接続された接続導体４２とを備えた。【選択図】図１
2015139238.tif 000002
【特許請求の範囲】
【請求項１】
内部に遮断部と絶縁ガスが収容されたタンクと、前記タンクから枝状に突出された第１及び第２の枝管と、前記２つの枝管のうち一方の枝管の先端部に設けられた、外部ケーブルのケーブル終端を接続するためのケーブル終端接続箱と、該一方の枝管の内部に挿通されて一端部が前記遮断部の電極のうちの一方に接続され、他端部が前記ケーブル終端接続箱に接続された接続導体と、を備えたことを特徴とするタンク形遮断器。
【請求項２】
前記２つの枝管のうち他方の枝管の先端部に設けられた、磁器製碍管又はポリマーブッシングと、前記磁器製碍管又はポリマーブッシングの先端部に設けられた外部機器接続用端子とを備え、前記外部機器接続用端子は、前記他方の枝管の内部に挿通されて一端部が前記遮断部の電極の他方に接続された接続導体の他端部に接続されていることを特徴とする請求項１記載のタンク形遮断器。
【請求項３】
前記２つの枝管のうちの他方の枝管の先端部に設けられた、外部ケーブルのケーブル終端を接続するためのケーブル終端接続箱と、前記他方の枝管の内部に挿通されて一端部が前記遮断部の電極の他方に接続され、他端部が前記ケーブル終端接続箱に接続された接続導体とを備えたことを特徴とする請求項１記載のタンク形遮断器。
【請求項４】
前記タンクの内部における主回路に断路部が挿入されていることを特徴とする請求項１から請求項３の何れかに記載のタンク形遮断器。
【請求項５】
前記２つの枝管のうちの少なくとも一方の枝管に変流器を設置したことを特徴とする請求項１から請求項４の何れかに記載のタンク形遮断器。
【請求項６】
前記タンクにおける前記２つの枝管とは異なる位置に開口部が設けられ、その開口部には前記遮断部を含む主回路に対して気密を保持して接離可能な避雷器が気密に設置されていることを特徴とする請求項１から請求項５の何れかに記載のタンク形遮断器。
【請求項７】
前記タンクの内部に、前記遮断部を含む主回路の電圧を検出する電圧検知用アンテナを備えていることを特徴とする請求項１から請求項６の何れかに記載のタンク形遮断器。
【発明の詳細な説明】
【技術分野】
【０００１】
この発明は、変電所などにおいて屋外に単体で設置する場合などに用いられるタンク形遮断器に関するものである。
【背景技術】
【０００２】
ＳＦ６ガス、ドライエアなどの絶縁性気体を大気圧よりも高い圧力で封入した接地金属タンク内に消弧室を設けた遮断器、又は消弧室の周囲をエポキシ樹脂などの固体絶縁物で覆い、固体絶縁物の外周に接地層を設けた遮断器は、消弧室の固定側及び可動側電極に接続した導体を上方又は横方向に引出して外部の電力回路と接続する端子を備えている。具体例として、絶縁ガスまたは真空雰囲気のタンクの内部に遮断器本体を収納すると共に、前記タンクの上部にブッシング形変流器を設置してなるタンク形遮断器において、前記タンクの上部に、内部に遮断器、断路器、接地装置を組み込んだユニットを収納した枝管を、前記タンクに連通して設置すると共に、前記枝管の上端に上端が連結され、前記枝管と連通するタンクを連結し、該タンクにはその下端から前記遮断器に接続される絶縁ケーブルを挿通してなるものがある（例えば特許文献１参照）。
【先行技術文献】
【特許文献】
【０００３】
【特許文献１】実開平４−１２６６４３号公報（第１頁、図１〜３）
【発明の概要】
【発明が解決しようとする課題】
【０００４】
単体で設置される遮断器は、電力ケーブルで接続された開閉器の故障・事故・災害など緊急の際に、既存の電力ケーブルに接続して復電するために用意される。遮断器に緊急接続する場合には、既存の電力ケーブルを一旦気中用ケーブル接続端末に接続し、気中用ケーブル接続端末と遮断器の間を架空線で接続しさらに、避雷器や変流器などの機器についても個々の機器毎に架台を設置して上記の架空線に接続する必要があるが、上記特許文献１のような技術では、タンク内部に断路器や接地装置を組み込んでいるため、接地面積などの縮小化や枝管の高さを低くできるほか、機器の接続作業も簡素化される利点が得られるとはいうものの、断路器や接地装置を枝管内部に設置しているために、枝管の高さの縮小化には限界があり、さらに、遮断器の重量は増すため移動や設置、保守などの作業性については簡素化の余地があるなどの問題があった。
【０００５】
本発明は、前記のような課題を解消するためになされたものであり、既存の電力ケーブルとの接続が容易で、しかも小型にできるタンク形遮断器を得ることを目的としている。
【課題を解決するための手段】
【０００６】
本発明に係るタンク形遮断器は、内部に遮断部と絶縁ガスが収容されたタンクと、前記タンクから枝状に突出された第１及び第２の枝管と、前記２つの枝管のうち一方の枝管の先端部に設けられた、外部ケーブルのケーブル終端を接続するためのケーブル終端接続箱と、該一方の枝管の内部に挿通されて一端部が前記遮断部の電極のうちの一方に接続され、他端部が前記ケーブル終端接続箱に接続された接続導体と、を備えたものである。
【発明の効果】
【０００７】
この発明によれば、タンクから突出された２つの枝管のうち一方の枝管の先端部に設けられ、外部ケーブルのケーブル終端を前記遮断部の電極に対して接続するようためのケーブル終端接続箱を備えたので、外形寸法と高さ寸法を大きくすることなく、既存の電力ケーブルとの接続が容易で小型にすることが出来る。
【図面の簡単な説明】
【０００８】
【図１】この発明の実施の形態１に係るタンク形遮断器の要部構成を概略的に示す側面図である。
【図２】この発明の実施の形態２に係るタンク形遮断器の要部構成を概略的に示す側面図である。
【図３】この発明の実施の形態３に係るタンク形遮断器の要部構成を概略的に示す側面図である。
【発明を実施するための形態】
【０００９】
実施の形態１．
図１はこの発明の実施の形態１に係るタンク形遮断器の要部構成を概略的に示す側面図である。図において、タンク形遮断器１００は、回路の電流の投入、遮断及び通電を行なうために接離可能な接点と消弧室を内蔵した例えば真空バルブのような遮断部１を収容すると共に、例えばＳＦ６ガス、ドライエアなどの絶縁性気体を大気圧より高い圧力で封入したタンク２を備えている。遮断部１は固定側電極１ａと可動側電極１ｂを有している。タンク２の主胴体部２ａには図における上方に突出された第１の枝管２１と第２の枝管２２が設けられ、さらに図の下方には主胴体部２ａから突出され、主胴体部２ａと一体の開口部２ｂが設けられている。第１の枝管２１と第２の枝管２２の内部は主胴体部２ａに連通されて絶縁性気体が充満されている。
【００１０】
第１の枝管２１の中心部には一端部が固定側電極１ａに接続され他端部が第１の枝管２１の上端部に形成された開口部２１ａを突き抜けて外部機器接続用端子３に接続された接続導体４１が挿通されている。第１の枝管２１の上部は接続導体４１を中心導体とする変流器５１が設置できるように外径が拡大された部分が設けられ、開口部２１ａはその上端に形成されている。開口部２１ａには接続導体４１を包囲する如く形成された磁気製の碍管６が、別の枝管を介さずに直接気密に取付けられ、外部機器接続用端子３はその碍管６の先端部外側に気密を保持して固定されている。なお、碍管６の内部空間はタンク２と連通され、絶縁性気体が充満されている。また、碍管６はポリマーブッシングでも良い。
【００１１】
第２の枝管２２の中心部には一端部が可動側電極１ｂに接続され他端部が該第２の枝管２２の上端部の開口部２２ａを突き抜けるように設けられた接続導体４２が収容され、第２の枝管２２の上部はその接続導体４２を中心導体とする変流器５２が設置できるように外径が拡大されている部分が設けられ、開口部２２ａはその上端部に形成されている。
開口部２２ａには、外部ケーブル７のケーブル終端を接続導体４２の他端部に接続するためのケーブル終端接続箱８が、別の枝管を介さずに直接気密に取付けられている。なお、接続導体４２の他端部にはケーブル終端接続箱８を構成する埋設導体８ｂと接続される。また、電力ケーブル接続口８ａは斜め下向きに設置されている。
【００１２】
そして、タンク２の図における右端部には、外部ケーブル７の端部近傍を支持、固定するためのケーブル支持部材７１が設けられている。ケーブル支持部材７１は、外部ケーブル７を上側から受け入れてその下側部を保持する例えば断面Ｕ字形状に形成された取付座７１ａと、その取付座７１ａの上部側から外部ケーブル７の上面を抑え付けるようにして該外部ケーブル７を係止する固定金具７１ｂと、固定金具７１ｂを取付座７１ａに固定する固定ねじ（図示省略）などを用いて構成されている。なお、取付座７１ａは電力ケーブル接続口８ａの外側近傍に位置するように配設されている。これにより、外部ケーブル７の取付けが容易になる。
【００１３】
主胴体部２ａの下方に突出された開口部２ｂには、避雷器９が別の枝管を介さずに気密に取付けられている。なお、避雷器９の取付け部には気密に摺動可能な摺動機構（図示省略）を有しており、タンク２内の絶縁性気体を放出することなく主回路との接離を行なうことができるように構成されている。さらに、タンク２の内部には遮断部１を含む主回路の電圧を検出するための電圧検知用アンテナ１０が設置され、タンク２と絶縁してタンク外部に引出して電圧検知器１１に接続されている。
【００１４】
次に動作について説明する。電力系統内に設置された図示省略している開閉器が故障、事故、災害などで使用できなくなった場合には、図１に示された単体のタンク形遮断器１００と変圧器（図示省略）を適宜の場所に設置し、前記図示省略している開閉器に接続していた既設ケーブル（図示省略）を切断し、延長ケーブルである外部ケーブル７を接続してその終端部をタンク形遮断器１００のケーブル終端接続箱８に接続する。また、外部機器接続端子３と変圧器の端子（図示省略）との間を電線で直接接続することで復電の体制を整えることができる。
【００１５】
ケーブル終端接続箱８が取付けられた第２の枝管２２の開口部２２ａは、遮断部１を収容したタンク２の図における上方側の開口であって、第２の枝管２２は、主胴体部２ａの上端から変流器５１の設置に要する高さ分の長さがあれば良く、従来技術のように枝管の内部に断路器を設置する場合に比べて長さを短く、即ち高さを低く抑えることができる。そして、ケーブル終端接続箱８は、その高さが低く抑えられた開口部２２ａに直接取り付けられ、しかも電力ケーブル接続口８ａは斜め下向きに設置されているので、外部ケーブル７を接続するときの取合い点も低く、外部ケーブル７を接続するときの作業性も向上できる。
【００１６】
以上のように実施の形態１によれば、据付スペースを大きくすることなく回路の保護・計測に必要な避雷器９、変流器５１、５２及び電圧検知用アンテナ１０を単体の遮断器であるタンク形遮断器１００に組込むことによって全体のスペースを縮小することができる。また、ケーブル終端接続箱８を設けたことによって、気中用ケーブル終端接続箱を用いずに既存のケーブルとタンク形遮断器１００を直接接続することができ、接続作業性も大幅に向上する。また、電力ケーブル接続口８ａは高さが抑えられていることに加えて、斜め下向きに設置されていることによって、外部ケーブル７の取付けが容易で作業性も向上できるという効果が得られる。
【００１７】
なお、図１ではタンクを長手方向が水平の場合を示したが、垂直又は斜めに傾いた場合であっても、同様の効果が得られる。また、第１の枝管２１と第２の枝管２２の突出方向は、図示のように上方向に限定されるものではなく、接続する外部機器に応じて適切な方向に突出するように配置することによって、機器の配置スペースを縮小し、外部機器との接続を更に容易に行なえる効果がある。なお、このときの開口部２ｂの方向も図示の方向に限定されず、主胴体部２ａの周囲の任意の方向で差し支えなく、方向によらず同様の効果が得られる。
【００１８】
実施の形態２．
図２はこの発明の実施の形態２に係るタンク形遮断器の要部構成を概略的に示す側面図である。実施の形態２のタンク形遮断器１００Ａは、実施の形態１における第１の枝管２１の上部に設置する機器を、碍管６と外部機器接続用端子３に代えて、図の右側の第２の枝管２２の側と同様に構成したものである。
【００１９】
即ち、第１の枝管２１の中心部には一端部が固定側電極１ａに接続され他端部が該第１の枝管２１の上端部の開口部２１ａを突き抜けるように設けられた接続導体４１Ａが挿通され、第１の枝管２１の上部はその接続導体４１Ａを中心導体とする変流器５１が設置できるように外径が拡大されている部分が設けられ、開口部２１ａはその上端部に形成されている。開口部２１ａには、外部ケーブル７Ａのケーブル終端を接続導体４１Ａの他端部に接続するためのケーブル終端接続箱８Ａが、別の枝管を介さずに直接気密に取付けられている。なお、電力ケーブル接続口８ａは斜め下向きに設置されている。また、接続導体４１Ａの他端部にはケーブル終端接続箱８Ａを構成する埋設導体８ｂに接続される。
【００２０】
そして、タンク２の図における左端部には、外部ケーブル７Ａの端部近傍を支持、固定するためのケーブル支持部材７１が設けられている。ケーブル支持部材７１は、外部ケーブル７Ａを上側から受け入れてその下半部を保持する例えば断面Ｕ字形状に形成された取付座７１ａと、その取付座７１ａの上部側から外部ケーブル７Ａの上面を抑え付けるようにして該外部ケーブル７Ａを係止する固定金具７１ｂと、固定金具７１ｂを取付座７１ａに固定する固定ねじ（図示省略）などを用いて構成されている。なお、取付座７１ａは電力ケーブル接続口８ａの外側近傍に位置するように配設されている。これにより、外部ケーブル７Ａの取付けが容易になる。その他の構成は実施の形態１と同様であるので、説明を省略する。
【００２１】
上記のように構成された実施の形態２においては、実施の形態１と同様の作用効果が得られることに加えて、外部に充電部がないために、感電防止のための安全離隔距離を確保する必要がなく、更に全体の面積を縮小できる効果が得られる。
【００２２】
実施の形態３．
図３はこの発明の実施の形態３に係るタンク形遮断器の要部構成を概略的に示す側面図である。実施の形態３のタンク形遮断器１００Ｂは、遮断部１に接続される主回路に断路部１２を挿入したものであり、具体的には遮断部１に接続される導体、ここでは固定側電極１ａに接続される導体を接続導体４１と接離できる可動導体１２ａとし、タンク２の下方又は側方に取付けた操作装置１２ｂによって可動導体１２ａを駆動することによって、碍管先端の外部機器接続用端子３と遮断部１の間を接離可能にしたものである。なお、断路部１２の構成は特に限定されるものではなく、例えば従来技術によるものから適宜選択して用いることができるので、断路部１２の構成について図示を省略している。また、断路部１２を設置する箇所はタンク２や枝管の内部であれば特に限定されるものではない。
【００２３】
上記のように構成された実施の形態３においては、実施の形態１及び２によるものと略同様の作用効果が得られることに加えて、タンク２の内部に断路部１２を備えたことによって、タンク形遮断器１００Ｂの据付スペースを広げることなく遮断部１以降の回路を安全に系統から切り離すことができる効果が得られる。
なお、図３に示す構成に実施の形態１と同様の避雷器９や電圧検知用アンテナ１０を設けることができることは言うまでもない。
【００２４】
なお、本発明は、その発明の範囲内において、各実施の形態の一部または全部を自由に組み合せたり、各実施の形態を適宜、変形、省略することが可能である。例えば、変流器は第１及び第２の枝管２１、２２のうちの一方の枝管のみに設置しても良い。
【符号の説明】
【００２５】
１  遮断部１ａ、  固定側電極、１ｂ  可動側電極、２  タンク、２ａ  主胴体部、２ｂ  開口部、２１  第１の枝管、２１ａ  開口部、２２  第２の枝管、２２ａ  開口部、３  外部機器接続用端子、４１  接続導体、４１Ａ  接続導体、４２  接続導体、５１  変流器、５２  変流器、６  碍管、７  外部ケーブル、７Ａ  外部ケーブル、７１  ケーブル支持部材、７１ａ  取付座、７１ｂ  固定金具、８  ケーブル終端接続箱、８Ａ  ケーブル終端接続箱、８ａ  電力ケーブル接続口、８ｂ  埋設導体、９  避雷器、１０  電圧検知用アンテナ、１１  電圧検知器、１２  断路部、１２ａ  可動導体、１２ｂ  操作装置、１００、１００Ａ、１００Ｂ  タンク形遮断器。
【図１】
2015139238.tif 000003
【図２】
2015139238.tif 000004
【図３】
2015139238.tif 000005